(57)【要約】  本発明のバックライト（照明装置）は、少なくとも一つの点状の光源（５）と、該光源からの光を拡散させて面発光させる導光体（７）とから構成される発光ユニット（１１）を複数個有するタンデム型のバックライトである。この発光ユニット（１１）では、光源（５）から出射され導光体（７）内で放射状に拡がる光束の横断面の大きさが、発光エリア（１０）と導光エリア（９）との境界面において、当該境界面の大きさ以上となるように、導光エリア（９）の長さＸが設定されている。さらに、光源（５）から発光エリア（１０）へ向かう方向を長さ方向Ｄ１とすると、導光エリアの長さ方向Ｄ１の距離Ｘは、発光エリアの長さ方向Ｄ１の距離Ｙ未満となっている。これにより、光源からの光をより均一に出射することのできるとともに、照明装置の厚みの増加を抑えた照明装置を実現する。
2009017072.tif 000002
【特許請求の範囲】
【請求項１】
少なくとも一つの点状の光源と、該光源からの光を拡散させて面発光させる導光体との組み合わせを複数個備え、各導光体は、発光面を有する発光部と、該発光部へ上記光源からの光を導く導光部とを有し、一方の導光体の導光部に、該一方の導光体に隣り合う他方の導光体の発光部が乗り上げるように配置された照明装置であって、
上記光源から出射され上記導光体内で放射状に拡がる光束の横断面の大きさが、上記発光部と上記導光部との境界面において、当該境界面の大きさ以上となるように、上記光源と上記発光部との間に存在する上記導光部の長さが設定されているとともに、
上記光源から上記発光部へ向かう方向を長さ方向とすると、
上記発光部の上記長さ方向の距離Ｙと、上記導光部の上記長さ方向の距離Ｘとは、
Ｘ＜Ｙ            （式１）
の関係を満たしていることを特徴とする照明装置。
【請求項２】
上記長さ方向と交差する方向を幅方向とすると、
上記光源は、上記導光体一つに対して一個設けられており、
上記導光体の上記幅方向の長さをＬ１、上記導光体の屈折率をｎとすると、
上記光源が、上記導光体における上記長さＬ１の中央部に設けられている場合に、上記光源と上記発光部との間に存在する上記導光部の上記長さ方向の距離Ｘは、
【数１】
2009017072.tif 000011
となっていることを特徴とする請求の範囲第１項に記載の照明装置。
【請求項３】
上記長さ方向と交差する方向を幅方向とすると、
上記光源は、発光色の互いに異なる複数種類のもので構成されているとともに、上記導光体一つに対して上記幅方向に沿って複数個並んで配列されており、配列方向の両端部に配置された各光源間の距離をＬ２、上記導光体の上記幅方向の長さをＬ１、上記導光体の屈折率をｎとすると、
上記複数の光源が、上記導光体における上記長さＬ１の中央部に設けられている場合に、上記光源と上記発光部との間に存在する上記導光部の上記長さ方向の距離Ｘは、
【数２】
2009017072.tif 000012
となっていることを特徴とする請求の範囲第１項に記載の照明装置。
【請求項４】
上記点状の光源は、発光ダイオードであることを特徴とする請求の範囲第１項〜第３項の何れか１項に記載の照明装置。
【請求項５】
請求の範囲第１項〜第４項の何れか１項に記載の照明装置をバックライトとして備えていることを特徴とする液晶表示装置。
【発明の詳細な説明】
【技術分野】
【０００１】
本発明は、液晶表示装置のバックライトなどとして利用される照明装置、および、この照明装置を備える液晶表示装置に関するものである。
【背景技術】
【０００２】
近年、ブラウン管（ＣＲＴ）に代わり急速に普及している液晶表示装置は、省エネ型、薄型、軽量型等の特長を活かし液晶テレビ、モニター、携帯電話等に幅広く利用されている。これらの特長をさらに活かす方法として液晶表示装置の背後に配置される照明装置（いわゆるバックライト）の改良が挙げられる。【０００３】
照明装置は、主にサイドライト型（エッジライト型ともいう）と直下型とに大別される。サイドライト型は、液晶表示パネルの背後に導光体が設けられ、導光体の横端部に光源が設けられた構成を有している。光源から出射した光は、導光体で反射して間接的に液晶表示パネルを均一照射する。この構造により、輝度は低いが、薄型化することができるとともに、輝度均一性に優れた照明装置が実現できる。そのため、サイドライト型の照明装置は、携帯電話、ノートパソコン等のような中小型液晶ディスプレイに主に採用されている。【０００４】
サイドライト型の照明装置の一例としては、特許文献１に記載のものが挙げられる。特許文献１には、発光面からの均一な発光が可能なように導光板の反射面に複数のドットを形成した面発光装置について記載されている。この面発光装置では、反射面の隅部が光源の指向性によって光が伝達されず暗くなるため、当該隅部のドットの密度を他の部分と比較して高くしている。【０００５】
また、直下型の照明装置は、液晶表示パネルの背後に光源を複数個配列し、液晶表示パネルを直接照射する。したがって、大画面でも高輝度が得やすく、２０インチ以上の大型液晶ディスプレイで主に採用されている。しかし、現在の直下型の照明装置は、厚みが約２０ｍｍ〜４０ｍｍ程度もあり、ディスプレイの更なる薄型化には障害となる。【０００６】
大型液晶ディスプレイで更なる薄型化を目指すには、光源と液晶表示パネルとの距離を近づけることで解決可能だが、その場合光源の数を多くしなければ、照明装置の輝度均一性を得る事はできない。その一方で、光源の数を増やすとコストが高くなる。そのため、光源の数を増やすことなく、薄型で輝度均一性に優れた照明装置の開発が望まれている。【０００７】
従来、これらの問題を解決するため、サイドライト型の照明装置を複数個並べることで、大型液晶ディスプレイを薄型化するという試みがなされている。【０００８】
例えば、特許文献２には、板状の導光ブロックを部分的に重ねてタンデム配列し、各導光ブロックに一次光をそれぞれ供給する一次光源を備えた面光源装置が開示されている。このような構造によれば、コンパクトな構造で広発光エリアを確保できるため、大型の液晶ディスプレイに好適に利用できる。【０００９】
また、特許文献３には、多角形状の発光モジュールを複数個並べて配置して構成された照明装置が開示されている。この発光モジュールは、ＬＥＤなどの光源を発光体の端部に配置した構造となっている。【００１０】
上記のように、光源と導光体とを組み合わせて構成される発光ユニットを複数個並べて構成された照明装置は、タンデム型の照明装置と呼ばれる。
【特許文献１】日本国公開特許公報「特開２００３−４３２６６号公報（公開日：２００３年２月１３日）」
【特許文献２】日本国公開特許公報「特開平１１−２８８６１１号公報（公開日：１９９９年１０月１９日）」
【特許文献３】日本国公表特許公報「特表２００６−５２２４３６号公報（公表日：２００６年９月２８日）」
【特許文献４】日本国公開特許公報「特開２００３−１３２７２２号公報（公開日：２００３年５月９日）」
【発明の開示】
【００１１】
ところで、上記のように導光体と光源とを組み合わせて構成されている照明装置において、光源として発光ダイオード（ＬＥＤ）のような点光源を使用した場合、導光体の光出射面全体からより均質な光が発せられるように、上記光源から出射された光を十分に拡散させ、光出射面へ導くための導光部を設けることが望ましい。
【００１２】
例えば、特許文献３に開示された照明装置においては、当該文献の図４などに示されるように、光入力結合部分（３）が、上記の導光部としての役割を果たしている。つまり、ＬＥＤ光源（２）から出射された光は光入力結合部分（３）を通過する間に拡散され、その後、発光体（９）の光出射面（６）から出射されるという構成を有している。
【００１３】
しかしながら、点光源と導光体とを組み合わせて構成され、上記のような導光部を有している従来の照明装置では、光源と光出射面との間に設けられた導光部の長さについては考慮されていないために、依然として光出射面からの発光状態が不均一となってしまうという問題が発生する。
【００１４】
具体的には、上記のような構成の照明装置において、光源から導光部と発光部との境界までの距離（すなわち、光源から発光部へ向かう方向における導光部の長さ）が短いと、光源からの光が導光部において十分に拡散されずに（つまり、導光体の両端部まで拡がらないうちに）発光部に到達してしまうという問題が発生する。これは、点光源が設けられている導光体外の空気層から導光体内へ入射した光が、スネルの法則より臨界角以内に収まることによるものである。導光体に入射した一定の臨界角を有する光束は、導光部内を進むうちに放射状に拡がるが、導光体の全体に拡がらないうちに発光部に到達してしまうことが原因である。
【００１５】
光源からの光が十分に拡散されないうちに発光部から出射されると、導光体の光出射面では、光が到達しない暗い部分が存在することになり、発光状態が不均一になってしまう。このような照明装置をバックライトとして使用した表示装置では、表示品位の低下を招いてしまうこととなる。
【００１６】
一方、タンデム型の照明装置においては、光源から発光部へ向かう方向における導光部の長さを長くし過ぎると、１つの発光部の下に２つ以上の導光部が重ねられ、合計で３段以上の導光体の積層構造となってしまう。このように、導光体が何枚も重ねられると、照明装置の厚さが増してしまうこととなり、結果としてディスプレイの薄型化への障害となってしまう。
【００１７】
本発明は、上記の問題点に鑑みてなされたものであり、光源から導光部と発光部との境界までの距離を規定することで、光源からの光をより均一に出射することのできるとともに、照明装置の厚みの増加を抑えた照明装置を提供することを目的とする。
【００１８】
本発明にかかる照明装置は、上記の課題を解決するために、少なくとも一つの点状の光源と、該光源からの光を拡散させて面発光させる導光体との組み合わせを複数個備え、各導光体は、発光面を有する発光部と、該発光部へ上記光源からの光を導く導光部とを有し、一方の導光体の導光部に、該一方の導光体に隣り合う他方の導光体の発光部が乗り上げるように配置された照明装置であって、上記光源から出射され上記導光体内で放射状に拡がる光束の横断面の大きさが、上記発光部と上記導光部との境界面において、当該境界面の大きさ以上となるように、上記光源と上記発光部との間に存在する上記導光部の長さが設定されているとともに、上記光源から上記発光部へ向かう方向を長さ方向とすると、上記発光部の上記長さ方向の距離Ｙと、上記導光部の上記長さ方向の距離Ｘとは、
Ｘ＜Ｙ            （式１）
の関係を満たしていることを特徴としている。
【００１９】
上記の構成によれば、光源と発光部との間に存在する導光部の長さ（つまり、光源から発光部へ向かう方向における導光部の長さ）を上記のように規定することによって、点状の光源から一定の臨界角内に収まるように導光体内に入射した光が、導光体内の全体に拡がらないうちに発光部へ到達してしまうことを防ぐことができる。そのため、光源からの光が十分に拡散されないうちに発光部へ到達し、導光体の発光面において光が到達した明るい部分と光が到達しない暗い部分とが存在することに起因した輝度ムラを防ぐことができる。したがって、光源からの光をより均一に出射することのできる照明装置を実現できる。
【００２０】
また、上記の構成によれば、上記長さ方向において導光部の距離が発光部の距離未満となっていることで、一方の導光体の導光部に他方の導光体の発光部が乗り上げるように各導光体を配置した場合に導光体が３段に重なることを防ぐことができる。そのため、照明装置の厚みが増加することを防ぐことができる。
【００２１】
また、本発明の照明装置では、上記長さ方向と交差する方向を幅方向とすると、上記光源は、上記導光体一つに対して一個設けられており、上記導光体の上記幅方向の長さをＬ１、上記導光体の屈折率をｎとすると、上記光源が、上記導光体における上記長さＬ１の中央部に設けられている場合に、上記光源と上記発光部との間に存在する上記導光部の上記長さ方向の距離Ｘは、
【００２２】
【数１】
2009017072.tif 000003
【００２３】
となっていることが好ましい。
【００２４】
光源から導光体へ入射した光が、上記発光部と上記導光部との境界面全体に到達するためには、光源から導光体へ臨界角で入射した光が、導光部内で導光体の幅方向における両側の端部にまで到達すればよい。
【００２５】
上記の構成によれば、上記距離Ｘの下限値は、光源から導光体へ臨界角で入射した光を、上記発光部と上記導光部との境界面において導光体の幅方向における両側の端部にまで拡げるような距離に設定されている。そのため、光源から導光体へ臨界角で入射した光を、上記発光部と上記導光部との境界面全体に拡げることができる。なお、臨界角の大きさは、導光体の屈折率によって決定される。
【００２６】
また、本発明の照明装置では、上記長さ方向と交差する方向を幅方向とすると、上記光源は、発光色の互いに異なる複数種類のもので構成されているとともに、上記導光体一つに対して上記幅方向に沿って複数個並んで配列されており、配列方向の両端部に配置された各光源間の距離をＬ２、上記導光体の上記幅方向の長さをＬ１、上記導光体の屈折率をｎとすると、上記複数の光源が、上記導光体における上記長さＬ１の中央部に設けられている場合に、上記光源と上記発光部との間に存在する上記導光部の上記長さ方向の距離Ｘは、
【００２７】
【数２】
2009017072.tif 000004
【００２８】
となっていることが好ましい。
【００２９】
上記の構成によれば、上記距離Ｘの下限値は、導光体の一方の端部から最も離れた位置に配置されている光源からの光が導光体に臨界角で入射した場合に、導光体の上記端部に到達するような距離に設定されている。そのため、複数個の光源全てに関して、光源から導光体へ臨界角で入射した光を、上記発光部と上記導光部との境界面全体に拡げることができる。なお、臨界角の大きさは、導光体の屈折率によって決定される。
【００３０】
そして、上記の構成によれば、複数個の光源が、例えば、赤（Ｒ）、緑（Ｇ）、青（Ｂ）などの異なる色の発光ダイオードで構成されている場合に、各色の光が均一に混合されないうちに発光部へ到達してしまうことを避けることができ、発光部と導光部との境界面全体において各色の光を均等に混ぜることができる。
【００３１】
したがって、上記の構成によれば、光源が発光色の互いに異なる複数種類のもので構成されている場合において、導光体の発光面においてより均一な光を発することができる。
【００３２】
なお、特許文献４には、各色のＬＥＤを組み合わせた場合に起こりうる色度ムラの発生を抑えるために、ＬＥＤと導光板との間に光を分散させるプリズムを備えている面状光源装置が開示されている。しかしながら、このような構成では、プリズムを設けることによって、光源と導光板との接触面積が減少するため、光源であるＬＥＤからの光の利用効率を低下させてしまう。また、タンデム型の照明装置においては、各導光体に対してそれぞれプリズムを新たに設ける必要が生じるため、あるいは、各導光板を射出成型など出作成する場合には金型代が高くなるため、コストが上昇してしまうという問題がある。これに対して、本発明の構成では、新たな部材を加えることなく、輝度ムラおよび色度ムラの発生を抑えることができる。
【００３３】
また、本発明の照明装置において、上記点状の光源は、発光ダイオードであることが好ましい。
【００３４】
上記の構成によれば、照明装置を小型かつ薄型にすることができる。
【００３５】
また、本発明の液晶表示装置は、上記の何れかの照明装置をバックライトとして備えていることを特徴としている。
【００３６】
本発明の液晶表示装置は、本発明の照明装置をバックライトとして備えていることで、液晶表示パネルに対してより均一な光を照射することができるため、表示品位を向上させることができる。
【００３７】
本発明の他の目的、特徴、および優れた点は、以下に示す記載によって十分分かるであろう。また、本発明の利点は、添付図面を参照した次の説明によって明白になるであろう。
【図面の簡単な説明】
【００３８】
【図１】図２に示す液晶表示装置に備えられたバックライトを構成している発光ユニットの構成を示す斜視図である。
【図２】本発明の一実施の形態にかかる液晶表示装置の構成を示す断面図である。
【図３】図２に示す液晶表示装置に備えられたバックライトの構成を示す平面図である。
【図４】図１に示す導光体における導光エリア及び発光エリアの長さについて説明するための模式図である。
【図５】本発明の液晶表示装置に備えられたバックライトを構成する発光ユニットの他の構成例を示す斜視図である。
【符号の説明】
【００３９】
１    液晶表示装置
２    バックライト（照明装置）
３    液晶表示パネル
５    光源、ＬＥＤ（点状の光源）
６    反射シート
７    導光体
７ａ  導光体
７ｂ  導光体
９    導光エリア（導光部）
１０    発光エリア（発光部）
１１    発光ユニット
１２    発光面
５１    発光ユニット
５５    光源、ＬＥＤ（点状の光源）
Ｄ１    長さ方向
Ｄ２    幅方向
ｎ    導光体の屈折率
θ    臨界角
【発明を実施するための最良の形態】
【００４０】
本発明の一実施形態について図面に基づいて説明すると以下の通りである。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。【００４１】
本実施の形態では、点光源と導光体との組み合わせて構成された発光ユニットを複数個有する、タンデム型の照明装置について説明する。図２には、タンデム型の照明装置をバックライトとして備えている液晶表示装置１の構成を示す。【００４２】
図２に示すように、本実施の形態の液晶表示装置１は、液晶表示パネル３と、液晶表示パネル３の背面に配置されたバックライト２（照明装置）とを備えている。バックライト２は、液晶表示パネル３へ向かって光を照射するようになっている。そして、液晶表示装置１は、バックライト２からの光を透過して表示を行う透過型の液晶表示装置である。【００４３】
本発明では、液晶表示パネル３の構成は特に限定されず、適宜公知の液晶パネルを適用することができる。図示は省略するが、液晶表示パネル３は、例えば、複数のＴＦＴ（薄膜トランジスタ）が形成されたアクティブマトリクス基板と、これに対向するカラーフィルタ基板とを備え、これらの基板の間に液晶層がシール材によって封入された構成を有している。【００４４】
次に、液晶表示装置１に備えられたバックライト２の構成について説明する。【００４５】
図２に示すように、バックライト２は、液晶表示パネル３の背後（表示面とは反対の側）に配置されており、光源５と導光体７とを組み合わせて構成される発光ユニット１１を複数個有している。【００４６】
ここで、発光ユニット１１のより詳細な構造について、図１を参照して説明する。１つの発光ユニット１１には、光源５、光源５からの光を拡散させて面発光させる導光体７、光源５を配置している基板４、反射シート６などが備えられている。【００４７】
光源５は、発光ダイオード（ＬＥＤ）等の点状の光源である。本実施の形態では、光源５は、互いに発光色の異なる複数種類の発光ダイオードで構成されている。具体的には、上記光源５は、赤（Ｒ）、緑（Ｇ）、青（Ｂ）という３色の発光ダイオードを複数個並べて配置したＬＥＤ群で構成されている。この３色の発光ダイオードを組み合わせて光源を構成することで、発光面において白色の光を照射することができる。【００４８】
なお、発光ダイオードの色の組み合わせは、各色のＬＥＤの発色特性、および、液晶表示装置１の利用目的に応じて所望とされるバックライトの発色特性などに基づいて適宜決定することができる。このＬＥＤ群からなる光源５は、基板４上に実装されている。なお、光源５として、各色のＬＥＤチップが１つのパッケージにモールドされているサイド発光タイプのＬＥＤを用いてもよい。これにより、色再現範囲の広いバックライトを得ることが可能となる。【００４９】
導光体７は、光源５から出射された光を発光面（光出射面とも呼ぶ）１２から面発光させるものである。発光面１２は、照射対象である液晶表示パネル３に対して光を照射するための面である。【００５０】
本実施の形態においては、導光体７は、発光面１２を有する発光エリア１０（発光部）と、該発光エリア１０へ光源５からの光を導く導光エリア９（導光部）とから構成されている。光源５は、発光エリア１０から最も遠い側の導光エリア９の端部に沿って配置されている。そして、図１に示すように、導光エリア９の厚さよりも発光エリア１０の厚さのほうが大きくなっており、導光エリア９と発光エリア１０との間には段差が設けられている。発光エリア１０内では、光源５からの距離が大きくなるにしたがって、その厚さが徐々に小さくなるような形状となっている。【００５１】
また、導光体７の発光エリア１０の表面、若しくは裏面には、導光してきた光を前面に出射させるための加工や処理が施されており、発光面１２から液晶表示パネル３側へより効率良く光を出射できる。導光体７の発光エリア１０の表面（発光面１２）に施された加工や処理としては、例えば、プリズム加工や、シボ加工や、印刷処理などが挙げられるが、特に限定されず、適宜公知の出射加工が施されている。【００５２】
導光体７は、ポリカーボネート（ＰＣ）、ポリメチルメタクリレート（ＰＭＭＡ）などの透明樹脂で形成すればよいがこれらに限定されることはなく、導光体として一般的に使用される材料で形成することができる。導光体７は、例えば射出成型や押出成型、熱プレス成型、切削加工等によって形成することが可能である。ただし、これら方法には限定されず、同様の特性が発揮される加工方法であれば、どのような方法でもよい。【００５３】
基板４は、光源５を配置するためのものである。基板４は、輝度向上を図るために白色のものを用いることが好ましい。なお、基板４の背面（光源５が実装されている面の反対側の面）側には、図示はしていないが、光源５を構成する各ＬＥＤを点灯制御するためのドライバが実装されている。すなわち、ドライバは、ＬＥＤとともに同一の基板４に実装されている。同一基板実装をすることにより、基板の数を削減できるとともに、基板間を繋ぐコネクタ等が削減できるため、装置のコストダウンを図ることができる。また、基板の数が少ないため、バックライト２の薄型化を図ることもできる。【００５４】
反射シート６は、その端部が基板４と導光体７の端部との間に挟まれているとともに、導光体７の裏面（発光面１２との対向面）と接するように設けられている。反射シート６は、光を反射し、発光面１２から効率良く光を出射させるものである。【００５５】
本実施の形態にかかるバックライト２は、上記のような構成を有する発光ユニット１１を複数個配列して形成されている。バックライト２では、図１および図２に示すように、導光エリア９の厚さよりも発光エリア１０の厚さの方が大きくなっているとともに、一方の導光体７の導光エリア９にこれと隣り合う他の導光体７の発光エリア１０が乗り上げるように配置されている。このように発光ユニット１１が配置されているバックライト２を、タンデム構造のバックライトと呼ぶ。【００５６】
図３には、発光ユニット１１の配置の一例を平面図で示す。図３に示すバックライト２は、８個の発光ユニット１１で構成されている。このバックライト２では、導光体７の発光エリア１０が、その１つ上方に配置され、網掛けを付して示している導光体７の導光エリア９の上に乗り上げるように４個の発光ユニット１１・・・が順次配置されているとともに、同様の発光ユニット１１・・・の組み合わせが横に並べて配置されており、面一状の発光面を形成している。なお、本明細書においては、一方の導光体の導光エリアの上に、これと隣り合う他の導光体の発光エリアが乗り上げるように配置されている方向を長さ方向Ｄ１と呼び、該長さ方向と交差する（略直交する）方向を幅方向Ｄ２と呼ぶ。言い換えれば、各発光ユニット１１において光源５から発光エリア１０へ向かう方向が、長さ方向Ｄ１である。【００５７】
上記のようにして、複数個の発光ユニット１１をタンデム配置した構造の上部に光学シート８が配置されている。光学シート８は、液晶表示パネル３へ均一な光を照射するための拡散板、光を集光しつつ散乱させる拡散シート、光を集光し正面方向の輝度を向上させるレンズシート、および、光の一方の偏光成分を反射し、他方の偏光成分を透過することによって液晶表示装置１の輝度を向上させる偏光反射シートなどの何れか、または、これらを適宜組み合わせて構成されている。光学シート８の構成は、液晶表示装置１の価格や性能によって決定すればよい。【００５８】
上記の構成により、点状の光源５から出射された光は、散乱作用と反射作用を受けながら導光体７内を進み、発光面１２から出射する。図１、図２では、光の進行方向を矢印で示している。【００５９】
そして、発光面１２から出射された光は、導光体７の前面に配置されている光学シート８によって、拡散されることによって均一化されるとともに集光され、液晶表示パネル３に照射されることとなる。【００６０】
ところで、本実施の形態にかかるバックライト２のように、点状の光源５と導光体７とを組み合わせて構成されている場合には、光源５から出射された光束は、導光体７内で臨界角θを有して放射状に拡がる。【００６１】
ここで、臨界角θとは、屈折率のより低い空気層から屈折率のより高い導光体へ照射された光が入射可能な最大の屈折角（空気層と導光体との境界面の法線からの傾斜角）のことである。【００６２】
例えば、導光体と空気層との境界面においては、空気層の屈折率ｎ１よりも導光体材料の屈折率ｎ２の方が大きいため（すなわち、ｎ１＜ｎ２）、空気層から導光体へ入射した光は、入射光の法線に対する傾斜角（入射角）よりも法線へ近づく方向へ屈折する。そして、最大入射角９０度のときの屈折角が、上記の臨界角θとなる。【００６３】
つまり、本実施の形態においては、空気層に設けられた光源５から出射された光束は、導光体７内で臨界角θを有して放射状に拡がる。なお、空気層と導光体７との境界面における導光体７側の臨界角θは、導光体７の材料によって決まる屈折率ｎに基づいて、スネルの法則によって決まる。【００６４】
導光体７の導光エリア９は、この臨界角θで導光体７内へ入射した光束が、発光エリア１０へ到達する前に十分に拡げるという役割を果たしている。【００６５】
しかしながら、従来のバックライトにおいては、導光エリア９の長さ（具体的には、光源５から発光エリア１０へ向かう方向Ｄ１における導光エリア９の長さＸ）が規定されていない。そのため、導光エリア９の長さが所定の値よりも短いと、導光体７へ臨界角θで入射した光が、導光エリア９内において導光体７の横幅まで拡がりきる前に発光エリア１０へ到達してしまう。これにより、導光体７の発光面１２では、導光体の幅方向Ｄ２の両端部に光が到達しない暗い部分が存在することになり、発光状態が不均一になってしまうという問題が発生する。このような照明装置をバックライトとして使用した表示装置では、表示品位の低下を招いてしまうこととなる。【００６６】
また特に、本実施の形態のバックライト２のように、光源５が赤（Ｒ）、緑（Ｇ）、青（Ｂ）という３色の発光ダイオードを複数個並べて配置したＬＥＤ群で構成されている場合、導光エリア９は、各色の色を混合させて発光面１２で白色光を出射させるための混色エリアとしての役割も担うことになる。このようなバックライト２において、導光エリア（混色エリア）の長さが短いと、各色の光が完全には混合されず、各色に分離した光が発光エリア１０の発光面１２から出射されてしまうことになり、輝度ムラの原因となってしまう。【００６７】
そこで、本発明では、光源５から出射され導光体７内で放射状に拡がる光束の横断面の大きさが、発光エリア１０と導光エリア９との境界面において、当該境界面の大きさ以上となるように、光源５と発光エリア１０との間に存在する導光エリア９の長さＸが設定されている。【００６８】
導光エリア９の長さＸを上記のように規定することによって、点状の光源５から一定の臨界角θを有して導光体７内に入射した光が、導光体７内の全体に拡がらないうちに発光部へ到達してしまうことを防ぐことができる。そのため、導光体７の発光面１２において光が到達した明るい部分と光が到達しない暗い部分とが存在することに起因した輝度ムラを防ぐことができる。【００６９】
さらに本発明では、図１に示すように、導光体７において発光エリア１０の長さ方向の距離をＹとした場合、導光エリア９の距離Ｘと発光エリア１０の距離Ｙとは、
Ｘ＜Ｙ            （式１）
の関係を満たしている。【００７０】
つまり、一つの導光体７において、導光エリア９の距離Ｘは、発光エリア１０の距離Ｙ未満となっている。これにより、各導光体をタンデム配置した場合に導光体が３段に重なることを防ぐことができる。そのため、照明装置の厚みが増加することを防ぐことができる。【００７１】
続いて、導光エリア９の長さＸの具体的な設定方法について、図４を参照して説明する。図４は、導光エリア９の好ましい長さＸについて説明するために、２つの導光体７ａ・７ｂおよびＬＥＤ群からなる光源５を模式的に示す平面図である。【００７２】
図４では、バックライト２において、幅方向Ｄ２に配置された２つの導光体７ａ・７ｂを示している。図４に示すように、ここで説明する例では、光源５は、赤色のＬＥＤ（Ｒ−ＬＥＤ）、緑色のＬＥＤ（Ｇ−ＬＥＤ）、青色のＬＥＤ（Ｂ−ＬＥＤ）、および、緑色のＬＥＤ（Ｇ−ＬＥＤ）がこの順で導光体の端部に沿って幅方向Ｄ２に配列されたＬＥＤ群で構成されている。このＬＥＤ群からなる光源５が、一つの導光体に対して一つずつ設けられている。【００７３】
ここで、光源５を構成する一つのＬＥＤ群において、その配列方向の両端部に配置された各光源間の距離（図４では、Ｒ−ＬＥＤとＧ−ＬＥＤとの距離）をＬ２とし、導光体７（７ａおよび７ｂ）の幅方向Ｄ２の長さをＬ１とし、導光体７の屈折率をｎとする。光源５が設けられている導光体外の空気層から導光体７に入射した光は、上述したようにスネルの法則より臨界角θ以内に収まる。【００７４】
このとき、光源５から導光体７へ入射した光が、発光エリア１０と導光エリア９との境界面全体に到達するためには、光源５から導光体７へ臨界角θで入射した光が、導光エリア内で導光体７の幅方向Ｄ２における両側の端部にまで到達すればよい。【００７５】
このような条件を満たすための距離Ｘの下限値は、光源５を構成する複数のＬＥＤのうち、導光体７の一方の端部から最も離れた位置に配置されているＬＥＤからの光が導光体７に臨界角で入射した場合に、導光体７の上記端部に到達するような距離である。つまり、図４において、最も左側に配置されたＬＥＤ（つまり、Ｒ−ＬＥＤ）から臨界角θで導光体７ａへ入射した光が、破線で示すように、発光エリア１０と導光エリア９との境界面上で導光体７ａの端部に到達するような場合の距離が、距離Ｘの下限値となればよい。【００７６】
このような下限値Ｘは、
ｔａｎθ＝{（Ｌ１＋Ｌ２）／２}／Ｘ＝（Ｌ１＋Ｌ２）／２Ｘ      （式ａ）
を満たすようなＸの値である。【００７７】
ここで、スネルの法則より、
ｓｉｎθ＝１／ｎ        （式ｂ）
が得られる。【００７８】
また、三角関数の式より、【００７９】
【数３】
2009017072.tif 000005
【００８０】
が得られる。【００８１】
上記の（式ａ）〜（式ｃ）より、Ｘの下限値は、下記の（式ｄ）を満たすような値となる。【００８２】
【数４】
2009017072.tif 000006
【００８３】
したがって、距離Ｘは、下記の（式３）を満たしていることが好ましい。【００８４】
【数５】
2009017072.tif 000007
【００８５】
なお、上記の（式３）を満たす場合、光源５は、各導光体７の幅方向Ｄ２の長さＬ１の中央部に配置されている。これにより、光源５が導光体７の幅方向Ｄ２において、何れかの端部に偏った位置に配置されている場合と比較して、導光エリア９の長さＸを短く設定することが可能となる。【００８６】
以上のように、光源５が設けられている導光体外の空気層から導光体７に入射した光は、スネルの法則により臨界角θ以内に収まることに基づいて、導光エリア９の長さＸの好ましい範囲は、上記の（式３）のように規定される。なお、この臨界角θは、導光体７を形成している材料の屈折率ｎによって決まる値である。【００８７】
例えば、導光体７がポリカーボネートで形成されている場合、屈折率ｎは１．５９であり、臨界角θは３８度となる。また、導光体７がＰＭＭＡ（アクリル）で形成されている場合、屈折率ｎは１．４９であり、臨界角θは４２度となる。【００８８】
ここで、導光エリア９の距離Ｘの具体的な範囲の一例を挙げる。
例えば、導光体７がポリカーボネートで形成され、導光体７の幅方向Ｄ２の寸法Ｌ１が２４ｍｍであり、光源５の構成する両端のＬＥＤ間の距離Ｌ２が３ｍｍである場合、Ｘは１６．６ｍｍ以上となる。一方、距離Ｘの上限値については、例えば、発光エリア１０の距離Ｙを２７ｍｍとした場合、２７ｍｍ未満であればよい。このような各寸法を有する発光ユニット１１において、導光エリア９の距離Ｘは、例えば２５ｍｍとすることができる。【００８９】
上記のような発光ユニット１１を組み合わせて構成されたバックライト２によれば、複数個の光源全てに関して、光源から導光体へ臨界角で入射した光を、上記発光部と上記導光部との境界面全体に拡げることができる。そして、複数個の光源が異なる色の発光ダイオードで構成されている場合に、各色の光が均一に混合されないうちに発光部へ到達してしまうことを避けることができ、発光部と導光部との境界面全体において各色の光を均等に混ぜることができる。【００９０】
また、上記の構成によれば、導光エリア９の距離Ｘが発光エリア１０の距離Ｙ未満となっていることで、各導光体をタンデム配置した場合に導光体が３段に重なることを防ぐことができ、照明装置の厚みが増加することを防ぐことができる。【００９１】
続いて、本発明の他の構成例として、１つの導光体に対して光源であるＬＥＤが１個設けられている場合について説明する。図５には、１つの導光体に対して光源であるＬＥＤが１個設けられている発光ユニット５１の構造を示す。なお、図５に示す発光ユニット５１において、図１に示す発光ユニット１１と同じ構造および機能を有する部材については、同じ部材番号を付すとともにその説明を省略する。また、各発光ユニット５１をタンデム配置する方法については、上述した発光ユニット１１と同じ方法を適用することができるため、その説明は省略する。【００９２】
図５に示す発光ユニット５１では、１つの導光体７に対して、白色のＬＥＤ１個が光源５５として導光エリア９の端部に配置されている。なお、この白色ＬＥＤからなる光源５５は、導光体７の幅方向Ｄ２における長さＬ１の中央部に配置されている。これにより、光源５５が導光体７の幅方向Ｄ２において、何れかの端部に偏った位置に配置されている場合と比較して、導光エリア９の長さＸを短く設定することが可能となる。【００９３】
続いて、導光エリア９の長さＸの下限値の具体的な設定方法について説明する。
上記のように、光源５５が１つのＬＥＤのみで構成される場合、光源５５から導光体７へ入射した光が、発光エリア１０と導光エリア９との境界面全体に到達するためには、光源５５から導光体７へ臨界角θで入射した光が、導光エリア内で導光体７の幅方向Ｄ２における両側の端部にまで到達すればよい。【００９４】
このような条件を満たすための距離Ｘの下限値は、光源５５から導光体へ臨界角θで入射した光を、発光エリア１０と導光エリア９との境界面において導光体７の幅方向Ｄ２における両側の端部にまで拡げるような距離である。【００９５】
このような下限値Ｘは、
ｔａｎθ＝（Ｌ１／２）／Ｘ＝Ｌ１／２Ｘ        （式ａ−２）
を満たすようなＸの値である。【００９６】
ここで、スネルの法則より、
ｓｉｎθ＝１／ｎ        （式ｂ）
が得られる。【００９７】
また、三角関数の式より、【００９８】
【数６】
2009017072.tif 000008
【００９９】
が得られる。【０１００】
上記の（式ａ−２）〜（式ｃ）より、Ｘの下限値は、下記の（式ｄ−２）を満たすような値となる。【０１０１】
【数７】
2009017072.tif 000009
【０１０２】
したがって、距離Ｘは、下記の（式２）を満たしていることが好ましい。【０１０３】
【数８】
2009017072.tif 000010
【０１０４】
以上のように、光源５が設けられている導光体外の空気層から導光体７に入射した光は、スネルの法則により臨界角θ以内に収まることに基づいて、導光エリア９の長さＸの好ましい範囲は、上記の（式２）のように規定される。なお、この臨界角θは、導光体７を形成している材料の屈折率ｎによって決まる値である。【０１０５】
上記のような発光ユニット５１を組み合わせて構成されたバックライト２によれば、複数個の光源全てに関して、光源から導光体へ臨界角で入射した光を、上記発光部と上記導光部との境界面全体に拡げることができる。【０１０６】
なお、発光ユニット５１において、導光エリアの長さＸの上限値については、発光ユニット１１と同様に規定することができる。つまり、導光体７において発光エリア１０の長さ方向の距離をＹとした場合、導光エリア９の距離Ｘと発光エリア１０の距離Ｙとは、
Ｘ＜Ｙ            （式１）
の関係を満たしている。【０１０７】
これにより、各導光体をタンデム配置した場合に導光体が３段に重なることを防ぐことができる。そのため、照明装置の厚みが増加することを防ぐことができる。【０１０８】
以上のように、本実施の形態では、１つの光源（ＬＥＤ群またはＬＥＤ）に対して１つの導光体が設けられた発光ユニットで構成されるバックライトを例に挙げて説明した。但し、本発明では、導光体は光源ごとに区切られている必要はなく、幅方向Ｄ２に一体成型されて繋がっている形状であってもよい。【０１０９】
このように、導光体が幅方向に一体成型されている場合には、隣接して配置されたＬＥＤ群間の距離と、導光体の導光エリアの長さを決めることで、本発明の目的を達成することができる。つまり、各ＬＥＤ群からの光が、少なくとも発光エリアへ到達する前に（すなわち、導光エリア内において）、導光体の幅方向全体に行き渡るように、各ＬＥＤ群間の距離および導光エリアの長さを決めればよい。【０１１０】
また、上述の実施形態では、光源として発光ダイオード（ＬＥＤ）を使用した場合を例に挙げて説明したが、本発明は必ずしもこのような構成に限定はされず、点状の光源であればどのようなものでもよい。【０１１１】
本発明の照明装置は、以上のように、上記光源から出射され上記導光体内で放射状に拡がる光束の横断面の大きさが、上記発光部と上記導光部との境界面において、当該境界面の大きさ以上となるように、上記光源と上記発光部との間に存在する上記導光部の長さが設定されているとともに、上記光源から上記発光部へ向かう方向を長さ方向とすると、上記発光部の上記長さ方向の距離Ｙと、上記導光部の上記長さ方向の距離Ｘとは、
Ｘ＜Ｙ            （式１）
の関係を満たしているというものである。【０１１２】
上記の構成によれば、光源からの光が十分に拡散されないうちに発光部へ到達し、導光体の発光面において光が到達した明るい部分と光が到達しない暗い部分とが存在することに起因した輝度ムラを防ぐことができる。したがって、光源からの光をより均一に出射することのできる照明装置を実現できる。【０１１３】
また、本発明の液晶表示装置は、以上のように、上記の何れかの照明装置をバックライトとして備えている構成である。【０１１４】
上記の構成によれば、液晶表示パネルに対してより均一な光を照射することができるため、表示品位を向上させることができるという効果を奏する。【０１１５】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内において、いろいろと変更して実施することができるものである。
【産業上の利用可能性】
【０１１６】
本発明によれば、光源からの光をより均一に出射することのできるとともに、照明装置の厚みの増加を抑えた照明装置を提供することができる。本発明の照明装置は、液晶表示装置のバックライトとして利用することができる。
【図１】
2009017072.tif 000013
【図２】
2009017072.tif 000014
【図３】
2009017072.tif 000015
【図４】
2009017072.tif 000016
【図５】
2009017072.tif 000017
【国際調査報告】
2009017072.tif 000018
2009017072.tif 000019
2009017072.tif 000020